(57)【要約】      （修正有）【課題】導電性異物の挿入による感電を防止でき、高い安全性を有する安全コンセントを提供する。【解決手段】安全コンセントは、本体１０、中性線導電座２０、電圧線導電座３０、絶縁体４０、中性線接続端５０、電圧線接続端６０、及び電圧線接続片７０を有する。絶縁体は、中性線導電座と電圧線導電座との間に設けられる。中性線接続端の接点は、中性線導電座の第１端の接点に接近する。電圧線接続端は、電圧線導電座と絶縁体との間に設けられる。電圧線接続片の２つの接点は、それぞれ電圧線導電座の第２端の接点及び電圧線接続端の接点に接近する。導電性を有する非プラグの異物のサイズが中性線差込口、電圧線差込口のサイズと一致しないため、挿入による感電を防止でき、高い安全性を有する。また、全体的な構造が簡単で、容易に組立可能であり、製造コストを低減し、大量生産に有利であり、３組の接点接触の方法を提供し、通電の効果を達成できる。【選択図】図３
0003229224.tif 000002
【実用新案登録請求の範囲】
【請求項１】
中性線導電座、電圧線導電座、絶縁体、中性線接続端、電圧線接続端、及び電圧線接続片を有し、
前記中性線導電座は、接点を有する第１端、及び第２端を有し、
前記電圧線導電座は、第１端、及び接点を有する第２端を有し、
前記絶縁体は、前記中性線導電座の前記第２端と前記電圧線導電座の前記第１端との間に設けられ、
前記中性線接続端は、前記中性線導電座の前記第１端の前記接点に接近する接点を有し、且つ電線に接続するために用いられ、
前記電圧線接続端は、電圧線導電座の前記第１端と前記絶縁体との間に設けられ、且つ接点を有し、他の電線に接続するために用いられ、
前記電圧線接続片は、それぞれ前記電圧線導電座の前記第２端の前記接点及び前記電圧線接続端の前記接点に接近する２つの接点を有することを特徴とする、
安全コンセント。
【請求項２】
前記中性線導電座は、中性線弾性体及び中性線差込口端子を有し、
前記中性線弾性体は、中性線弾性連結部及び２つの中性線板バネを有し、
前記中性線弾性連結部は、前記中性線板バネの底端に接続され、
各前記中性線板バネは、それぞれ前記中性線導電座の前記第１端及び前記第２端に位置し、外側面に接点が設けられ、
前記中性線差込口端子は、中性線差込口連結部及び２つの中性線クリップを有し、
前記中性線差込口連結部は、前記中性線クリップの底端に接続され、前記中性線弾性連結部の上方に位置し、
前記中性線板バネと前記中性線クリップとで中性線差込口を構成し、
前記電圧線導電座は、電圧線弾性体及び電圧線差込口端子を有し、
前記電圧線弾性体は、電圧線弾性連結部及び２つの電圧線板バネを有し、
前記電圧線弾性連結部は、前記電圧線板バネの底端に接続され、
各前記電圧線板バネは、それぞれ前記電圧線導電座の前記第１端及び前記第２端に位置し、外側面に接点が設けられ、
前記電圧線差込口端子は、電圧線差込口連結部及び２つの電圧線クリップを有し、
前記電圧線差込口連結部は、前記電圧線クリップの底端に接続され、前記電圧線弾性連結部の上方に位置し、
前記電圧線板バネと前記電圧線クリップとで電圧線差込口を構成することを特徴とする、
請求項１に記載の安全コンセント。
【請求項３】
据付台を更に有し、
前記据付台に、中性線位置付け槽及び電圧線位置付け槽が凹設され、
前記中性線位置付け槽の底部から上に向かって中性線位置付け柱が凸設され、
中性線クリップの１側に中性線位置付け部が凸設され、
前記中性線位置付け部は、中性線貫通孔が開設され、前記中性線位置付け槽に位置し、
前記中性線位置付け柱は、前記中性線貫通孔に挿入され、
前記電圧線位置付け槽の底部から上に向かって電圧線位置付け柱が凸設され、
電圧線クリップの１側に電圧線位置付け部が凸設され、
前記電圧線位置付け部は、電圧線貫通孔が開設され、前記電圧線位置付け槽に位置し、
前記電圧線位置付け柱は、前記電圧線貫通孔に挿入されることを特徴とする、
請求項２に記載の安全コンセント。
【請求項４】
前記中性線位置付け槽は、２側にそれぞれ２つの中性線段差部が形成され、底部から上に向かって２つの中性線位置制限柱が凸設され、
前記中性線位置制限柱は、それぞれ前記中性線位置付け柱の２側に位置し、
前記中性線位置付け部は、２側が２つの前記中性線段差部に当接し、底部が２つの前記中性線位置制限柱の頂部に当接することで、前記中性線差込口端子を吊り下げて、前記中性線差込口連結部の底面と前記中性線弾性連結部の頂面との間に一定の距離を保って、
前記電圧線位置付け槽は、２側にそれぞれ２つの電圧線段差部が形成され、底部から上に向かって２つの電圧線位置制限柱が凸設され、
前記電圧線位置制限柱は、それぞれ前記電圧線位置付け柱の２側に位置し、
前記電圧線位置付け部は、２側が２つの前記電圧線段差部に当接し、底部が２つの前記電圧線位置制限柱の頂部に当接することで、前記電圧線差込口端子を吊り下げて、前記電圧線差込口連結部の底面と前記電圧線弾性連結部の頂面との間に一定の距離を保つことを特徴とする、
請求項３に記載の安全コンセント。
【請求項５】
据付台を更に有し、
前記据付台は、２つの中性線位置付けブロック及び２つの電圧線位置付けブロックを有し、
前記中性線弾性連結部の１側に凹口が開設され、前記中性線差込口端子に差込口溝部が開設され、
前記中性線差込口端子の前記差込口溝部は、１つの中性線クリップから前記中性線差込口連結部を通って他の中性線クリップに延伸され、
１つの中性線位置付けブロックは、前記中性線弾性連結部の前記凹口及び前記中性線差込口端子の前記差込口溝部に位置し、且つ１つの中性線クリップの下方に位置し、
他の中性線位置付けブロックは、前記中性線差込口端子の前記差込口溝部に位置し、且つ他の中性線クリップの下方に位置し、
前記電圧線弾性連結部の１側に凹口が開設され、前記電圧線差込口端子に差込口溝部が開設され、
前記電圧線差込口端子の前記差込口溝部は、１つの電圧線クリップから前記電圧線差込口連結部を通って他の電圧線クリップに延伸され、
１つの電圧線位置付けブロックは、前記電圧線弾性連結部の前記凹口及び前記電圧線差込口端子の前記差込口溝部に位置し、且つ１つの電圧線クリップの下方に位置し、
他の電圧線位置付けブロックは、前記電圧線差込口端子の前記差込口溝部に位置し、且つ他の電圧線クリップの下方に位置することを特徴とする、
請求項２に記載の安全コンセント。
【請求項６】
前記中性線接続端は、接触部及び接続部を有し、
前記中性線接続端の前記接触部は、前記中性線導電座の前記第１端に接近し、且つ接点が設けられ、前記中性線接続端の前記接続部は、前記電線に接続するために用いられ、
前記電圧線接続端は、接触部及び接続部を有し、
前記電圧線接続端の前記接触部は、前記絶縁体に接近し、且つ接点が設けられ、前記電圧線接続端の前記接続部は、他の電線に接続するために用いられ、
前記電圧線接続片は、２つの接触部を有し、
前記電圧線接続片の１つの接触部は、前記電圧線導電座の前記第２端に接近し、且つ接点が設けられ、
前記電圧線接続片の他の接触部は、前記電圧線接続端の前記接触部と前記接続部との間に位置し、且つ接点が設けられることを特徴とする、
請求項１に記載の安全コンセント。
【請求項７】
据付台を更に有し、
前記据付台は、中性線導電座収容槽、電圧線導電座収容槽、絶縁体収容槽、電圧線接続端収容槽、及び電圧線接続片収容槽を囲んで形成され、
前記電圧線接続端収容槽は、前記中性線導電座収容槽と前記電圧線導電座収容槽との間に位置し、
前記絶縁体収容槽は、前記中性線導電座収容槽と前記電圧線接続端収容槽との間に連通され、
前記電圧線接続片収容槽は、前記電圧線導電座収容槽の外側を囲んで、２端がそれぞれ前記電圧線接続端収容槽及び前記電圧線導電座収容槽に連通され、
前記中性線導電座は、前記中性線導電座収容槽に設けられ、
前記電圧線導電座は、前記電圧線導電座収容槽に設けられ、
前記絶縁体は、前記絶縁体収容槽に設けられ、
前記中性線接続端の前記接触部は、前記中性線導電座収容槽に位置し、
前記電圧線接続端は、前記電圧線接続端収容槽に設けられ、
前記電圧線接続片は、連結部を有し、
前記電圧線接続片の前記連結部は、前記電圧線接続片の前記接触部に接続され、且つ前記電圧線接続片収容槽に設けられ、
前記電圧線接続片の前記接触部は、それぞれ前記電圧線導電座収容槽内及び前記電圧線接続端収容槽内に延伸されることを特徴とする、
請求項６に記載の安全コンセント。
【請求項８】
前記据付台は、前記電圧線導電座収容槽と前記電圧線接続端収容槽とを隔てる隔壁を有することを特徴とする、
請求項７に記載の安全コンセント。
【請求項９】
前記絶縁体の２つの表面は、それぞれ前記中性線導電座の前記第２端及び前記電圧線接続端の前記接触部に当接することを特徴とする、
請求項６に記載の安全コンセント。
【請求項１０】
前記電圧線接続片の前記接点は、いずれも銀接点であり、且つそれぞれ前記電圧線接続片の前記接触部に取り外し可能に設けられることを特徴とする、
請求項６に記載の安全コンセント。
【考案の詳細な説明】
【技術分野】
【０００１】
本考案は、安全コンセントに関する。
【背景技術】
【０００２】
コンセントは、電気用品のプラグを差し込み、電源と電気用品を接続するために用いられるが、一般的には、安全性設計がない。そのため、電気の常識がない人（例えば子供）が金属棒、鉄線、鉄釘、鑷子、指等の導電性を有する非プラグの異物（以下、導電性異物と称する）をコンセントに差し込む場合は、感電の事故になる。
【０００３】
上記問題を解決するために、既に色々な安全コンセントが市販されている。例えば、ＵＳ８，２９７，９９６及びＵＳ７，９３１，４８２等の米国特許が挙げられる。しかしながら、従来の安全コンセントは、設計が非常に複雑で、部品が多く、組立コストが高いため、コストアップに繋がり、大量生産に不利である。また、相対的に破損し易く、使用上不便である。
【考案の概要】
【考案が解決しようとする課題】
【０００４】
本考案の主な目的としては、導電性異物の挿入による感電を防止でき、高い安全性を有する安全コンセントを提供することにある。
【０００５】
本考案の他の目的としては、全体的な構造が簡単で、容易に組立可能であり、製造コストを低減し、大量生産に有利である安全コンセントを提供することにある。
【０００６】
本考案の他の目的としては、３組の接点接触の方法を提供し、通電の効果を達成できる安全コンセントを提供することにある。
【課題を解決するための手段】
【０００７】
前記目的を達成するために、本考案は、安全コンセントを提供する。前記安全コンセントは、中性線導電座、電圧線導電座、絶縁体、中性線接続端、電圧線接続端、及び電圧線接続片を有する。中性線導電座は、接点を有する第１端、及び第２端を有する。電圧線導電座は、第１端、及び接点を有する第２端を有する。絶縁体は、中性線導電座の第２端と電圧線導電座の第１端との間に設けられる。中性線接続端は、中性線導電座の第１端の接点に接近する接点を有し、且つ電線に接続するために用いられる。電圧線接続端は、電圧線導電座の第１端と絶縁体との間に設けられ、且つ接点を有し、他の電線に接続するために用いられる。電圧線接続片は、それぞれ電圧線導電座の第２端の接点及び電圧線接続端の接点に接近する２つの接点を有する。
【考案の効果】
【０００８】
本考案の効果としては、導電性異物の挿入による感電を防止でき、高い安全性を有する。
【０００９】
なお、本考案は、全体的な構造が簡単で、容易に組立可能であり、製造コストを低減し、大量生産に有利である。
【００１０】
また、本考案によれば、３組の接点接触の方法を提供し、通電の効果を達成できる。
【図面の簡単な説明】
【００１１】
【図１】本考案の斜視図である。
【図２】本考案の他の視点の斜視図である。
【図３】本考案の分解図である。
【図４】本考案における据付台及びその内部部品の平面図である。
【図５】本考案における据付台及びその内部部品の分解図である。
【図６】本考案における据付台の平面図である。
【図７】本考案における中性線導電座及び電圧線導電座の分解図である。
【図８】本考案の断面図である。
【図９】本考案の安全コンセントにプラグを差し込んだ状態を示す模式図である。
【考案を実施するための形態】
【００１２】
図１〜図３を参照しながら説明する。本考案の安全コンセントは、本体１０、中性線導電座２０、電圧線導電座３０、絶縁体４０、中性線接続端５０、電圧線接続端６０、電圧線接続片７０、及び接地線導電座８０を有する。
【００１３】
図１〜図３に示すように、本体１０は、蓋体１１、基台１２、及び据付台１３を有する。蓋体１１は、基台１２と取り外し可能に結合して、基台１２と共に収容空間を囲んで形成する。据付台１３は、収容空間に設けられる。蓋体１１の頂部に中性線挿入口１１１、電圧線挿入口１１２、及び接地線挿入口１１３が開設される。蓋体１１の１側に嵌入孔１１４が開設される。基台１２の２側に２つの嵌入孔１２１、１２２が開設される。
【００１４】
図４〜図６を参照しながら説明する。据付台１３は、中性線導電座収容槽１３１、電圧線導電座収容槽１３２、電圧線接続端収容槽１３３、絶縁体収容槽１３４、電圧線接続片収容槽１３５、及び接地線導電座収容槽１３６を囲んで形成される。電圧線接続端収容槽１３３は、中性線導電座収容槽１３１と電圧線導電座収容槽１３２との間に位置する。絶縁体収容槽１３４は、中性線導電座収容槽１３１と電圧線接続端収容槽１３３との間に連通する。電圧線接続片収容槽１３５は、電圧線導電座収容槽１３２の外側を囲んで、２端がそれぞれ電圧線接続端収容槽１３３及び電圧線導電座収容槽１３２に連通される。
【００１５】
図４〜図６及び図８に示すように、中性線導電座２０は、中性線導電座収容槽１３１に設けられ、第１端及び第２端を有する。中性線導電座２０の第１端及び第２端は、それぞれ接点２１、２２を有する。電圧線導電座３０は、電圧線導電座収容槽１３２に設けられ、第１端及び第２端を有する。電圧線導電座３０の第１端及び第２端は、それぞれ接点３１、３２を有する。
【００１６】
図７を参照しながら説明する。中性線導電座２０は、中性線弾性体２３及び中性線差込口端子２４を有する。中性線弾性体２３は、中性線弾性連結部２３１、及び２つの中性線板バネ２３２、２３３を有する。中性線弾性連結部２３１は、それらの中性線板バネ２３２、２３３の底端に接続される。各中性線板バネ２３２、２３３は、それぞれ中性線導電座２０の第１端及び第２端に位置し、外側面に前記接点２１、２２が設けられる。中性線差込口端子２４は、中性線差込口連結部２４１、及び２つの中性線クリップ２４２、２４３を有する。中性線差込口連結部２４１は、それらの中性線クリップ２４２、２４３の底端に接続され、中性線弾性連結部２３１の上方に位置する。それらの中性線板バネ２３２、２３３と、それらの中性線クリップ２４２、２４３とで中性線差込口２５を構成する。
【００１７】
図７に示すように、電圧線導電座３０は、電圧線弾性体３３及び電圧線差込口端子３４を有する。電圧線弾性体３３は、電圧線弾性連結部３３１及び２つの電圧線板バネ３３２、３３３を有する。電圧線弾性連結部３３１は、それらの電圧線板バネ３３２、３３３の底端に接続される。各電圧線板バネ３３２、３３３は、それぞれ電圧線導電座３０の第１端及び第２端に位置し、外側面に前記接点３１、３２が設けられる。電圧線差込口端子３４は、電圧線差込口連結部３４１、及び２つの電圧線クリップ３４２、３４３を有する。電圧線差込口連結部３４１は、それらの電圧線クリップ３４２、３４３の底端に接続され、電圧線弾性連結部３３１の上方に位置する。それらの電圧線板バネ３３２、３３３と、それらの電圧線クリップ３４２、３４３とで電圧線差込口３５を構成する。
【００１８】
図５及び図６に示すように、据付台１３に中性線位置付け槽１３７が凹設される。中性線位置付け槽１３７の底部から上に向かって中性線位置付け柱１３７１が凸設される。図７に示すように、中性線クリップ２４２の１側に中性線位置付け部２４２１が凸設される。中性線位置付け部２４２１は、中性線貫通孔２４２２が開設される。図３及び図４に示すように、中性線位置付け部２４２１は、中性線位置付け槽１３７に位置する。中性線位置付け柱１３７１は、中性線貫通孔２４２２に挿入される。それによって、中性線差込口端子２４が中性線導電座収容槽１３１に入る場合に、すばやく位置付けることができ、逆装着の問題がなく、中性線差込口端子２４が自由に動くことを防止できる。
【００１９】
図５及び図６に示すように、据付台１３に、電圧線位置付け槽１３８が凹設される。電圧線位置付け槽１３８の底部から上に向かって電圧線位置付け柱１３８１が凸設される。図７に示すように、１つの電圧線クリップ３４２の１側に電圧線位置付け部３４２１が凸設される。電圧線位置付け部３４２１は、電圧線貫通孔３４２２が開設される。図３及び図４に示すように、電圧線位置付け部３４２１は、電圧線位置付け槽１３８に位置する。電圧線位置付け柱１３８１は、電圧線貫通孔３４２２に挿入される。それによって、電圧線差込口端子３４が電圧線導電座収容槽１３２に入る場合に、すばやく位置付けることができ、逆装着の問題がなく、電圧線差込口端子３４が自由に動くことを防止できる。
【００２０】
図５及び図６に示すように、中性線位置付け槽１３７の２側にそれぞれ２つの中性線段差部１３７２が形成される。中性線位置付け槽１３７の底部から上に向かって２つの中性線位置制限柱１３７３が凸設される。それらの中性線位置制限柱１３７３は、それぞれ中性線位置付け柱１３７１の２側に位置する。図３及び図４に示すように、中性線位置付け部２４２１は、２側がそれらの中性線段差部１３７２に当接し、底部がそれらの中性線位置制限柱１３７３の頂部に当接することで、中性線差込口端子２４を吊り下げて、中性線差込口連結部２４１の底面と中性線弾性連結部２３１の頂面との間に一定の距離を保つ（図８を参照）。
【００２１】
図５及び図６に示すように、電圧線位置付け槽１３８の２側にそれぞれ２つの電圧線段差部１３８２が形成される。電圧線位置付け槽１３８の底部から上に向かって２つの電圧線位置制限柱１３８３が凸設される。それらの電圧線位置制限柱１３８３は、それぞれ電圧線位置付け柱１３８１の２側に位置する。図３及び図４に示すように、電圧線位置付け部３４２１は、２側がそれらの電圧線段差部１３８２に当接し、底部がそれらの電圧線位置制限柱１３８３の頂部に当接することで、電圧線差込口端子３４を吊り下げて、電圧線差込口連結部３４１の底面と電圧線弾性連結部３３１の頂面との間に一定の距離を保つ（図８を参照）。
【００２２】
図６に示すように、据付台１３は、２つの中性線位置付けブロック１３９１、１３９２を有する。それらの中性線位置付けブロック１３９１、１３９２は、中性線導電座収容槽１３１の底部の２側に設けられる。図７に示すように、中性線弾性連結部２３１の１側に凹口２３１１が開設され、中性線差込口端子２４に差込口溝部２４４が開設される。差込口溝部２４４は、中性線クリップ２４２から中性線差込口連結部２４１を通って中性線クリップ２４３に延伸される。中性線位置付けブロック１３９１は、凹口２３１１及び差込口溝部２４４に位置し、且つ中性線クリップ２４２の下方に位置する。中性線位置付けブロック１３９２は、差込口溝部２４４に位置し、且つ中性線クリップ２４３の下方に位置する（図４を参照）。それによって、中性線差込口端子２４が中性線導電座収容槽１３１に入る場合に、すばやく位置付けることができ、逆装着の問題がなく、中性線差込口端子２４が自由に動くことを防止できる。
【００２３】
図６に示すように、据付台１３は、２つの電圧線位置付けブロック１３９３、１３９４を有する。それらの電圧線位置付けブロック１３９３、１３９４は、電圧線導電座収容槽１３２の底部の２側に設けられる。図７に示すように、電圧線弾性連結部３３１の１側に凹口３３１１が開設され、電圧線差込口端子３４に差込口溝部３４４が開設される。差込口溝部３４４は、電圧線クリップ３４２から電圧線差込口連結部３４１を通って電圧線クリップ３４３に延伸される。電圧線位置付けブロック１３９３は、凹口３３１１及び差込口溝部３４４に位置し、且つ電圧線クリップ３４２の下方に位置する。電圧線位置付けブロック１３９４は、差込口溝部３４４に位置し、且つ電圧線クリップ３４３の下方に位置する（図４を参照）。それによって、電圧線差込口端子３４が電圧線導電座収容槽１３２に入る場合に、すばやく位置付けることができ、逆装着の問題がなく、電圧線差込口端子３４が自由に動くことを防止できる。
【００２４】
図３〜図５及び図８に示すように、絶縁体４０は、絶縁体収容槽１３４に設けられ、中性線板バネ２３３と電圧線板バネ３３２との間に位置し、その１つの表面が中性線板バネ２３３に当接する。好ましくは、絶縁体４０の１つの表面において、中性線板バネ２３３の接点２２を収容するための凹溝４１が凹設される。それによって、絶縁体４０の１つの表面が完全に中性線板バネ２３３に当接することを確保できる。
【００２５】
図３〜図５及び図８に示すように、中性線接続端５０は、接触部５１、接続部５２、及び連結部５３を有する。接触部５１は、中性線導電座収容槽１３１に位置し、中性線板バネ２３２に接近し、接点２１に接近する接点５１１が設けられる。図１及び図３に示すように、接続部５２は、嵌入孔１１４を通り抜けて電線に接続するために用いられる（図示せず）。連結部５３は、接触部５１及び接続部５２の底端に接続される。
【００２６】
図３〜図５及び図８に示すように、電圧線接続端６０は、電圧線接続端収容槽１３３に設けられ、電圧線板バネ３３２と絶縁体４０の間に位置し、接触部６１、接続部６２、及び連結部６３を有する。接触部６１は、絶縁体４０の他の表面に接近して当接し、接点６１１が設けられる。図１、図３及び図５に示すように、接続部６２は、嵌入孔１２１を通り抜けて他の電線に接続するために用いられる（図示せず）。連結部６３は、接触部６１及び接続部６２の底端に接続される。
【００２７】
図３〜図６及び図８に示すように、据付台１３は、電圧線導電座収容槽１３２と電圧線接続端収容槽１３３とを隔てる隔壁１３０を有する。それによって、接続部６２と電圧線板バネ３３２との接触を防止できる。
【００２８】
図３〜図６及び図８に示すように、電圧線接続片７０は、２つの接触部７１、７２、及び連結部７３を有する。それらの接触部７１、７２は、それぞれ電圧線導電座収容槽１３２内及び電圧線接続端収容槽１３３内に延伸される。接触部７２は、電圧線板バネ３３３に接近し、接点７２１が設けられる。接触部７１は、接触部６１と接続部６２との間に位置し、接点７１１が設けられる。それらの接点７２１、７１１は、それぞれ接点３２及び接点６１１に接近する。連結部７３は、それらの接触部７１、７２に接続され、電圧線接続片収容槽１３５に設けられる。好ましくは、それらの接点７２１、７１１は、いずれも銀接点であり、それぞれそれらの接触部７２、７１に取り外し可能に設けられる。
【００２９】
図１〜図５に示すように、接地線導電座８０は、接地線導電座収容槽１３６に設けられる。接地線導電座８０の接続部８１は嵌入孔１２２を通り抜ける。
【００３０】
図９を参照しながら説明する。プラグ９０は、中性線差込片９１、電圧線差込片９２、及び接地線差込片９３を有する。中性線差込片９１の長さがそれらの中性線板バネ２３２、２３３の最小間隔以上であり、中性線差込片９１の幅がそれらの中性線クリップ２４２、２４３の最小間隔以上であり、電圧線差込片９２の長さがそれらの電圧線板バネ３３２、３３３の最小間隔以上であり、電圧線差込片９２の幅がそれらの電圧線クリップ３４２、３４３の最小間隔以上である。中性線差込片９１が中性線挿入口１１１を通り抜けて中性線差込口２５に入る場合に、それらの中性線クリップ２４２、２４３によって中性線差込片９１の２側を挟んで、それらの中性線板バネ２３２、２３３が中性線差込片９１の２端によって押されて中性線弾性連結部２３１に対して外側に回転させる。接点２１と接点５１を接触することで、中性線差込片９１、中性線弾性体２３、及び中性線接続端５０が導通状態になる。中性線板バネ２３３によって絶縁体４０を押し動かして、絶縁体４０によって接触部６１を押し動すことで、接点６１１を接点７１１と接触させ、接点７１１を接触部７１の表面と接触させる。電圧線差込片９２が電圧線挿入口１１２を通り抜けて電圧線差込口３５に入る場合に、それらの電圧線クリップ３４２、３４３によって電圧線差込片９２の２側を挟んで、それらの電圧線板バネ３３２、３３３が電圧線差込片９２の２端によって押されて電圧線弾性連結部３３１に対して外側に回転させる。接点３１を隔壁１３０と接触させ、接点３２を接点７２１とを接触させ、接点７２１を接触部７２の表面と接触させることで、電圧線差込片９２、電圧線弾性体３３、電圧線接続片７０、及び電圧線接続端６０が導通状態になる。接地線差込片９３は、接地線挿入口１１３を通って接地線導電座８０の接地線差込口８２（図４を参照）に入って、接地線導電座８０に接触する。それによって、電流を大地に逃がし、感電を防止できる。
【００３１】
図８に示すように、中性線差込片９１を中性線挿入口１１１及び中性線差込口２５から引き離す場合に、それらの中性線板バネ２３２、２３３は、その弾力によって内側に回転して初期位置に戻り、接点２１を接点５１１から離れさせる。それによって、中性線差込片９１、中性線弾性体２３、及び中性線接続端５０が切断状態になる。図８に示すように、電圧線差込片９２を電圧線挿入口１１２及び電圧線差込口３５から引き離す場合に、それらの電圧線板バネ３３２、３３３は、その弾力によって内側に回転して初期位置に戻り、接点３２を接点７２１と離れさせる。その同時に、接触部６１は、その弾力によって外側に回転して初期位置に戻り、絶縁体４０を押し動かして初期位置に戻してそのまま中性線板バネ２３３に当接することで、接点６１１を接点７１１から離れさせる。それによって、電圧線差込片９２、電圧線弾性体３３、電圧線接続片７０、及び電圧線接続端６０が切断状態になる。
【００３２】
電気常識がない人（例えば子供）が金属棒、鉄線、鉄釘、鑷子、指等の導電性異物を中性線差込口２５及び電圧線差込口３５に差し込む場合に、導電性異物のサイズが中性線差込口２５のサイズ及び電圧線差込口３５のサイズと一致していないため、それらの中性線板バネ２３２、２３３及びそれらの電圧線板バネ３３２、３３３を押し開けることができない。それらの中性線板バネ２３２、２３３及びそれらの電圧線板バネ３３２、３３３が開けられなければ、中性線板バネ２３３によって絶縁体４０を押し動かすことができないため、絶縁体４０によって接触部６１を押し動かすこともできない。そのため、接点２１を接点５１１と接触させることがなく、接点６１１を接点７１１をと接触させることがなく、接点３２を接点７２１と接触させることがないため、中性線弾性体２３、及び中性線接続端５０が切断状態に維持し、電圧線弾性体３３、電圧線接続片７０、及び電圧線接続端６０が切断状態に維持する。それによって、本考案によれば、導電性異物の挿入による感電を効果的に防止でき、高い安全性を有する。
【００３３】
なお、それらの中性線板バネ２３２、２３３及びそれらの電圧線板バネ３３２、３３３は、いずれもバネを利用せずにその弾性によって復帰できる。中性線差込口端子２４、電圧線差込口端子３４、及び据付台１３は、いずれもそれらの中性線板バネ２３２、２３３、及びそれらの電圧線板バネ３３２、３３３を回転させる貫通孔を開設する必要がない。そのため、中性線導電座２０及び電圧線導電座３０は、その全体的な構造が簡単で、容易に組立可能であり、製造コストを低減し、大量生産に有利である。
【００３４】
また、本考案の全て部品が適切に配置されているため、１つの絶縁体４０及び１つの電圧線接続片７０だけで、プラグ９０を本考案の安全コンセントに差し込む場合に、３組の接点接触の方法（即ち、接点２１を接点５１１と接触させ、接点６１１を接点７１１と接触させ、接点３２を接点７２１と接触させる）によって通電の効果を達成できる。それによって、本考案の全体的な構造が簡単で、容易に組立可能であり、製造コストを低減し、大量生産に有利である。
【符号の説明】
【００３５】
１０  本体
１１  蓋体
１１１  中性線挿入口
１１２  電圧線挿入口
１１３  接地線挿入口
１１４  嵌入孔
１２  基台
１２１、１２２  嵌入孔
１３  据付台
１３０  隔壁
１３１  中性線導電座収容槽
１３２  電圧線導電座収容槽
１３３  電圧線接続端収容槽
１３４  絶縁体収容槽
１３５  電圧線接続片収容槽
１３６  接地線導電座収容槽
１３７  中性線位置付け槽
１３７１  中性線位置付け柱
１３７２  中性線段差部
１３７３  中性線位置制限柱
１３８  電圧線位置付け槽
１３８１  電圧線位置付け柱
１３８２  電圧線段差部
１３８３  電圧線位置制限柱
１３９１、１３９２  中性線位置付けブロック
１３９３、１３９４  電圧線位置付けブロック
２０  中性線導電座
２１、２２  接点
２３  中性線弾性体
２３１  中性線弾性連結部
２３１１  凹口
２３２、２３３  中性線板バネ
２４  中性線差込口端子
２４１  中性線差込口連結部
２４２、２４３  中性線クリップ
２４２１  中性線位置付け部
２４２２  中性線貫通孔
２４４  差込口溝部
２５  中性線差込口
３０  電圧線導電座
３１、３２  接点
３３  電圧線弾性体
３３１  電圧線弾性連結部
３３１１  凹口
３３２、３３３  電圧線板バネ
３４  電圧線差込口端子
３４１  電圧線差込口連結部
３４２、３４３  電圧線クリップ
３４２１  電圧線位置付け部
３４２２  電圧線貫通孔
３４４  差込口溝部
３５  電圧線差込口
４０  絶縁体
４１  凹溝
５０  中性線接続端
５１  接触部
５１１  接点
５２  接続部
５３  連結部
６０  電圧線接続端
６１  接触部
６１１  接点
６２  接続部
６３  連結部
７０  電圧線接続片
７１、７２  接触部
７１１、７２１  接点
７３  連結部
８０  接地線導電座
８１  接続部
８２  接地線差込口
９０  プラグ
９１  中性線差込片
９２  電圧線差込片
９３  接地線差込片
【図１】
0003229224.tif 000003
【図２】
0003229224.tif 000004
【図３】
0003229224.tif 000005
【図４】
0003229224.tif 000006
【図５】
0003229224.tif 000007
【図６】
0003229224.tif 000008
【図７】
0003229224.tif 000009
【図８】
0003229224.tif 000010
【図９】
0003229224.tif 000011